(57)【要約】【課題】配線の誤接続が起こらないように、かつ、迅速に計器を取替えることができる計器取替用補助具及び計器取替え方法を提供すること。【解決手段】計器４に接続された複数の配線５を保持することができる計器取替用補助具１であって、基部１０と、基部１０の所定方向に配線５の径に応じた間隔で並列配置された複数の棒状部２１からなる配線保持部２０と、  配線保持部２０に挟み込まれる複数の配線５の位置に対応して、対応する其々の配線５の配線情報を表示する配線識別部３０と、を備え、  基部１０と配線保持部２０の棒状部２１とが一体的に構成される計器取替用補助具１及び計器取替用補助具１を用いた計器取替え方法。【選択図】図１
2020064033.tif 000002
【特許請求の範囲】
【請求項１】
計器に接続された複数の配線を保持することができる計器取替用補助具であって、
基部と、
前記基部の所定方向に前記配線の径に応じた間隔で並列配置された複数の棒状部からなる配線保持部と、
前記配線保持部に挟み込まれる前記複数の配線の位置に対応して、対応する其々の前記配線の配線情報を表示する配線識別部と、を備え、
前記基部と前記配線保持部の前記棒状部とが一体的に構成される計器取替用補助具。
【請求項２】
前記配線識別部は、前記配線保持部が形成される側の反対側に形成される請求項１に記載の計器取替用補助具。
【請求項３】
前記棒状部の先端には、基端側よりも幅広な抜け止め部が形成され、
前記抜け止め部の先端は先細状に形成される請求項１又は２に記載の計器取替用補助具。
【請求項４】
請求項１〜３のいずれかに記載の計器取替用補助具を用いて、複数の配線が接続された計器を取り替える計器取替え方法であって、
前記配線保持部の隣接する前記棒状部の間に前記配線を挟み込むことにより、既設の計器に接続された前記複数の配線に前記計器取替用補助具を取り付ける工程と、
前記計器取替用補助具により前記複数の配線を保持させた状態で、前記既設の計器から前記複数の配線を取り外す工程と、
前記計器取替用補助具により保持された前記複数の配線を新設の計器に取り付ける工程と、を含む計器取替え方法。
【発明の詳細な説明】
【技術分野】
【０００１】
本発明は、計器取替用補助具及び計器取替え方法に関する。
【背景技術】
【０００２】
従来から、高圧計器等の計器の取替えの際に、人為的なミス等によって新設する計器への配線の接続を誤ってしまうことがある。計器取替えの際の誤配線を防止するための方法として、例えば特許文献１に記載の配線支持具を用いる方法がある。
【０００３】
特許文献１には、計器から取り外された複数の電力線を２つのブロックで挟むことにより保持した状態で、需要家の壁等の設置面に取り付けられる配線支持具が記載されている。この配線支持具によれば、計器から取り外した電力線を長期間支持することができ、後に計器を新設する際に再設置作業負担が発生しない。
【先行技術文献】
【特許文献】
【０００４】
【特許文献１】特開２０１０−２１０４６７号公報
【発明の概要】
【発明が解決しようとする課題】
【０００５】
特許文献１の配線支持具は、計器の配線を支持した状態に保つことができるが、長期間不使用の計器に対するものである。一方、高圧計器の定期的な取替えにおいては、既設の計器から配線を抜いて、計器を取り替え、新設した計器に配線を接続するという一連の工程を如何にスピーディ、かつ、誤りなく行うことができるかが重要である。このため、従来技術には、迅速な作業性という点で改善の余地があった。
【０００６】
本発明は上記に鑑みてなされたものであり、配線の誤接続が起こらないように、かつ、迅速に計器を取替えることができる計器取替用補助具及び計器取替え方法を提供することを目的とする。
【課題を解決するための手段】
【０００７】
本発明は、計器に接続された複数の配線を保持することができる計器取替用補助具であって、基部と、前記基部の所定方向に前記配線の径に応じた間隔で並列配置された複数の棒状部からなる配線保持部と、前記配線保持部に挟み込まれる前記複数の配線の位置に対応して、対応する其々の前記配線の配線情報を表示する配線識別部と、を備え、前記基部と前記配線保持部の前記棒状部とが一体的に構成される計器取替用補助具に関する。
【０００８】
前記配線識別部は、前記配線保持部が形成される側の反対側に形成されることが好ましい。
【０００９】
前記棒状部の先端には、基端側よりも幅広な抜け止め部が形成され、前記抜け止め部の先端は先細状に形成されることが好ましい。
【００１０】
また本発明は、前記計器取替用補助具を用いて、複数の配線が接続された計器を取り替える計器取替え方法であって、前記配線保持部の隣接する前記棒状部の間に前記配線を挟み込むことにより、既設の計器に接続された前記複数の配線に前記計器取替用補助具を取り付ける工程と、前記計器取替用補助具により前記複数の配線を保持させた状態で、前記既設の計器から前記複数の配線を取り外す工程と、前記計器取替用補助具により保持された前記複数の配線を新設の計器に取り付ける工程と、を含む計器取替え方法に関する。
【発明の効果】
【００１１】
本発明によれば、配線の誤接続が起こらないように、かつ、迅速に計器を取替えることができる計器取替用補助具及び計器取替え方法を提供することができる。
【図面の簡単な説明】
【００１２】
【図１】本発明の一実施形態に係る計器取替用補助具を示す斜視図である。
【図２】本発明の一実施形態に係る計器取替用補助具を示す平面図である。
【図３】本発明の一実施形態に係る計器取替用補助具及び計器を示す説明図である。
【図４】計器に接続された配線に取り付けられた本発明の一実施形態に係る計器取替用補助具を示す正面図である。
【図５】本発明の一実施形態に係る計器取替用補助具を取り付けた状態で計器から外された配線を示す平面図である。
【図６】本発明の一実施形態に係る計器取替用補助具を取り付けた状態で計器から外された配線を示す斜視図である。
【発明を実施するための形態】
【００１３】
以下、本発明の実施形態について、図面を参照しながら説明する。ただし、本発明は以下の実施形態に限定されるものではない。
【００１４】
図１は本実施形態に係る計器取替用補助具１の斜視図、図２は計器取替用補助具１の平面図、図３は計器取替用補助具１及び計器４を示す説明図である。本実施形態に係る計器取替用補助具１は、計器４を取替える際に用いられ、複数の配線５を保持することが可能な補助具である。
【００１５】
既設の計器４は、図３に示すように、壁等の設置面２に設置されている。計器４には、下部に配置された端子４０に所定の配線５が接続されている。より具体的には、正面視において左から右に、配線の被覆が黒色（ＢＫ）、赤（ＲＤ）、青（ＢＵ）、茶（ＢＮ）、黄（ＹＥ）、白（ＷＴ）、緑（ＧＮ）で色分けされた７本の配線５が端子４０に接続されている。そして端子４０には、各配線５の色に対応する端子番号が、正面視において左から右に１Ｓ、Ｐ１、Ｐ３、３Ｓ、３Ｌ、Ｐ２、１Ｌと表示されている。７本の配線５は、ネジ４１により端子４０に着脱可能にネジ止めされている。
【００１６】
本発明の一実施形態に係る計器取替用補助具の構成について説明する。図１及び図２に示すように、計器取替用補助具１は、基部１０と、配線保持部２０と、配線識別部３０と、を含んで構成される。計器取替用補助具１は、ゴム製の弾性を有する材料により一体成形されて構成される。
【００１７】
基部１０は、横長な板状の弾性体である。基部１０の厚さは、手で掴むことができる程度の厚さである。
【００１８】
配線保持部２０は、棒状の弾性体である８本の棒状部２１を有する。８本の棒状部２１は基部１０の短手方向の一側面に略等間隔に並列され、各棒状部２１は基部１０の長手方向に対して垂直な方向に延びるように形成される。配線保持部２０は、隣接する棒状部２１の間に、計器４に接続された配線５を１本ずつ挟み込むことができるように形成されている。
【００１９】
棒状部２１は、基端側から先端側に向かって延びる本体部２１１と、先端側に形成された頭部２１２（抜け止め部）と、を有する。
【００２０】
本体部２１１は、配線５を保持することができる細長い棒状の部位である。８本の棒状部２１は、配線５の径の大きさと略等しくなるような間隔Ｌ１で並列されている。これにより、隣接する本体部２１１の間で、配線５が移動しないように保持することができる。また、本体部２１１の幅Ｌ２が、計器４に接続された隣接する配線５の間の間隔Ｌ４と略等しくなるように形成される。これにより、計器４に接続された７本の配線５の位置と、８本の棒状部２１により形成された各配線５が挟み込まれる７箇所の隙間の位置とが略一致するため、計器４に接続された状態の複数の配線５に計器取替用補助具１を一括でスムーズに取り付けることができる。
【００２１】
頭部２１２は、本体部２１１の先端に形成され、平面視において中心角が１８０°超の略円弧状の面を有している。８本の棒状部２１は、隣接する頭部２１２の間の間隔Ｌ３が、隣接する本体部２１１の間の間隔Ｌ１よりも狭くなるように形成されている。つまり、隣接する頭部２１２の間の間隔Ｌ３は、配線５の径よりも狭くなる。これにより、棒状部２１の間に保持された配線５が頭部２１２側に移動しても、配線５が頭部２１２に引っ掛かるため、計器取替用補助具１が配線５から外れることを防止できる。
【００２２】
配線識別部３０は、基部１０の短手方向の他側面に形成され、配線保持部２０に保持された配線５の識別情報を表示する。つまり、配線識別部３０は、基部１０を挟んで配線保持部２０の反対側に形成され、配線保持部２０に対して反対の方向に配線５の識別情報を表示している。配線識別部３０には、正面視において左から右に、黒、赤、青、茶、黄、白、緑という各配線５の色を示す文字である配線情報が表示されている。配線情報は、各配線５が保持される位置に対応した位置に設けられている。
【００２３】
次に、本実施形態に係る計器取替用補助具１を用いた計器取替え方法について図３から図６を参照しながら説明する。
【００２４】
図４は計器４に接続されている配線５に取り付けられた計器取替用補助具１を示す正面図、図５は計器取替用補助具１を取り付けた状態で計器４から外された配線５を示す平面図、図６は計器取替用補助具１を取り付けた状態で計器４から外された配線５を示す斜視図である。
【００２５】
図３に示すように、設置面２に設置されている既設の計器４には、７本の配線５が所定の端子４０にネジ４１でネジ止めされることにより接続されている。
【００２６】
まず、作業者は、配線識別部３０が作業者側、配線保持部２０が計器４側を向くように計器取替用補助具１を手に持つ。そして、計器４の端子４０に表示されている端子番号、端子４０に接続された配線５の色、配線識別部３０の配線情報を確認しながら、複数の配線５が配線保持部２０の所定の位置に挟み込まれるように計器取替用補助具１を取り付ける。具体的には、隣接する配線５の間に所定の棒状部２１の頭部２１２が位置するように調整した後、設置面２に向かって計器取替用補助具１を押し込む。計器取替用補助具１は弾性体であるため、棒状部２１を配線５の間に挿入する際は、棒状部２１が変形し、取り付けが完了すると弾性体の復元力により元の形に戻る。
【００２７】
このとき、端子４０の端子番号、配線５の色、及び配線識別部３０の表示を確認しながら計器取替用補助具１を押し込むことができるため、確実に所定の位置に計器取替用補助具１を取り付けることができる。また、棒状部２１の頭部２１２が略円弧状であるため、配線５の間をスムーズに挿入することができる。また、上述したように、配線保持部２０は、隣接する本体部２１１の間の間隔Ｌ１が配線５の径の大きさと略等しく、かつ、本体部２１１の幅Ｌ２が計器４に接続された隣接する配線５の間の間隔Ｌ４と略等しくなるように形成される。計器４に接続された７本の配線５の位置と、隣接する８本の本体部２１１から形成された各配線５が挟み込まれる７箇所の隙間の位置とが略一致する。これにより、計器４に接続された状態の複数の配線５に計器取替用補助具１を一括でよりスムーズに取り付けることができる。さらに、計器４の正面側から設置面２の方向に押し込む方法で取り付けるため、設置面２と配線５との間の間隔が狭い場合であっても、容易に計器取替用補助具１を取り付けることができる。
【００２８】
次に、複数の配線５が配線識別部３０と対応した位置に保持されているかを確認する。図４に示すように、計器４の正面側から端子４０の端子番号、複数の配線５の色、及び配線識別部３０の表示を一目で把握することができる。配線識別部３０の表示と配線５の被覆の色が一致した場合、ドライバ等の工具を用いて端子４０のネジ４１を緩め、複数の配線５を計器４から取り外す。このとき、図５及び図６に示すように、計器取替用補助具１を複数の配線５に取り付けた状態のままにする。これにより、計器４から取り外す前の複数の配線５の並びが保持される。また、上述したように計器４に接続された７本の配線５の位置と、隣接する８本の本体部２１１から形成された配線５が挟み込まれる隙間の位置が略一致するため、計器４から取り外す前の隣接する配線５の間隔も保持される。
【００２９】
作業者は、設置面２から既設の計器４を取り外し、新設する計器４を設置面２に取り付ける。
【００３０】
作業者は、新しい計器４の端子番号、配線５の色、及び計器取替用補助具１の配線識別部３０の配線情報を確認しながら、配線５を対応する計器４の端子４０に挿入する。そして、ドライバ等の工具を用いて、ネジ４１を締付けて配線５をネジ止めする。上述したように計器取替用補助具１によって複数の配線５の並びと間隔が保持されているため、迅速かつ誤配線なく配線５を新設の計器４に接続することができる。
【００３１】
そして、新設の計器４に接続された複数の配線５から計器取替用補助具１を取り外し計器４の取替えが完了する。
【００３２】
以上説明した実施形態に係る計器取替用補助具１及び計器取替え方法によれば、以下のような効果を奏する。
【００３３】
計器取替用補助具１は、計器４に接続された複数の配線５を保持することができる計器取替用補助具１であって、基部１０と、基部１０に所定方向に配線５の径に応じた間隔で並列配置された複数の棒状部２１からなる配線保持部２０と、
配線保持部２０に挟み込まれる複数の配線５の位置に対応して、対応する其々の配線５の配線情報を表示する配線識別部３０と、を備え、基部１０と配線保持部２０の棒状部２１とが一体的に構成される。
【００３４】
この構造により、配線識別部３０に表示される配線情報を確認しながら、計器４の正面側から設置面２に向かって各配線５の間に所定の棒状部２１を挿し込むことにより、一括で計器４に接続された複数の配線５に計器取替用補助具１を取り付けることができる。また、既設の計器４に接続された配線５の並びを保持した状態で配線５を取り外し、新設の計器４に配線５を接続することができる。さらに、配線識別部３０に表示される配線情報を確認しながら、新設の計器４に複数の配線５を接続することができる。これにより、配線の誤接続が起こらないように、かつ、迅速に計器４を取り替えることができる。
【００３５】
配線識別部３０は、配線保持部２０が形成される側と反対側に形成される。
【００３６】
これにより、配線識別部３０の表示と配線５の色とを計器４の正面側から確認しながら、計器取替用補助具をより正確かつ容易に取り付けることができる。
【００３７】
棒状部２１の先端には、基端側よりも幅広な頭部２１２が形成され、頭部２１２の先端は先細状に形成される。
【００３８】
これにより、棒状部２１の先端部の幅が基端部の幅よりも小さいため、棒状部２１を配線５の間にスムーズに挿入することができる。また、棒状部２１の間に保持された配線５が基端側から先端側に移動しても、配線５が基端部の幅よりも大きい幅の部位に引っ掛かるため、計器取替用補助具１が配線５から外れることを防止できる。
【００３９】
計器取替え方法は、計器取替用補助具１を用いて、複数の配線が接続された計器を取り替える計器取替え方法であって、隣接する配線５の間に配線保持部２０の所定の棒状部２１を挿し込むことにより、既設の計器４に接続された複数の配線５に計器取替用補助具１を取り付ける工程と、計器取替用補助具１により複数の配線５を保持させた状態で、既設の計器４から複数の配線５を取り外す工程と、計器取替用補助具１により保持された複数の配線５を新設の計器４に取り付ける工程と、を含む。
【００４０】
これらの工程により、一括で計器４に接続された複数の配線５に計器取替用補助具１を取り付けることができる。また、既設の計器４に接続された配線５の並びを保持した状態で配線５を取り外し、新設の計器４に配線５を接続することができる。さらに、配線識別部３０に表示される配線情報を確認しながら、新設の計器４に複数の配線５を接続することができる。これにより、配線の誤接続が起こらないように、かつ、迅速に計器４を取替えることができる。
【００４１】
以上、本発明の実施形態について説明したが、本発明は、上記実施形態に制限されるものではなく適宜変更が可能である。
【００４２】
上述した実施形態では、計器４の取替えの最後の工程で、新設の計器４に接続された複数の配線５から計器取替用補助具１を取り外したが、配線５から計器取替用補助具１を取り外さずそのまま付けておいてもよい。これにより、紫外線等によって配線の被覆が経時で変色した場合であっても、配線識別部３０が配線の識別表示として機能するため、誤配線を防止することができる。
【００４３】
上述した実施形態では、８本の棒状部２１は隣接する本体部２１１の間の間隔Ｌ１が、配線５の径の大きさと略等しくなるように並列されているが、間隔Ｌ１が配線５の径の大きさ以下となるように並列されてもよい。これにより、計器取替用補助具１を取り付けた後、配線５が移動しないようにより強固に保持することができる。
【符号の説明】
【００４４】
１  計器取替用補助具
４  計器
５  配線
１０  基部
２０  配線保持部
２１  棒状部
３０  配線識別部
４０  端子
４１  ネジ
２１１  本体部
２１２  頭部（抜け止め部）
【図１】
2020064033.tif 000003
【図２】
2020064033.tif 000004
【図３】
2020064033.tif 000005
【図４】
2020064033.tif 000006
【図５】
2020064033.tif 000007
【図６】
2020064033.tif 000008